(57)【特許請求の範囲】
【請求項１】
外壁に設置される最上端が前記外壁から離れる方向へ突出したフランジ頂部を有したベースと、前記ベースと個別に形成され、前記ベースを覆うフードと、前記ベースと個別に形成され、前記ベースの外壁側に配置されるバックフレームとを有し、前記バックフレームの一対の側部には、前記外壁から離れる方向に折り曲げられたガイドがそれぞれ形成され、
前記ベースの前記フランジ頂部は、一対の前記バックフレームの前記ガイドの間に配置され、前記フードの内面は、前記ベースの前記フランジ頂部と一対の前記バックフレームの前記ガイドとが当接することで固定されている屋外換気口。
【請求項２】
前記フランジ頂部の延在方向における側端部と一対の前記バックフレームの前記ガイドの上端部とを合わせている請求項１に記載の屋外換気口。
【発明の詳細な説明】
【技術分野】
【０００１】
本発明は、建物の外壁に設置される屋外換気口に関する。
【背景技術】
【０００２】
図５に示されるとおり、特許文献１の屋外換気口９００は、外壁（図示せず）に設置されるベース９１０と、ベース９１０を覆うフード９２０と、フード９２０の開口部を覆うガラリ９３０と、建物内に引き回されたダクト（図示略）に繋げられるベントキャップ９４０とを有する。ベース９１０の側部には、ベース９１０のウェブ９１１からベース９１０の正面側に向けて垂直に立ち上がる側部フランジ９１２および頂部フランジ９１３が形成されている。
【０００３】
フード９２０は、その側部９２１の内面がベース９１０の側部フランジ９１２の外面と重なり、その天井９２２の内面がベース９１０の頂部フランジ９１３と重なるようにベース９１０に取り付けられる。このため、フード９２０の側部９２１が側部フランジ９１２により内側から支持され、また、天井９２２が頂部フランジ９１３により内側から支持されることにより、フード９２０が変形しにくくなる。
【先行技術文献】
【特許文献】
【０００４】
【特許文献１】特開２００９−１３９０５７号公報
【発明の概要】
【発明が解決しようとする課題】
【０００５】
フード９２０と組み合わせたベース９１０を施工するときに落としたりして、フード９２０とベース９１０がばらばらになって側部フランジ９１２等に衝撃が加わり変形して、ベース９１０にフード９２０を組み合わせることができない、という課題を有していた。
【０００６】
そこで本発明は、上記従来の課題を解決するものであり、
フードと組み合わせたベースを施工するときに落としたりしてもベースにフードを組み合わせることができる屋外換気口を提供することを目的とする。
【課題を解決するための手段】
【０００７】
そして、この目的を達成するために、本発明は、外壁に設置される最上端が前記外壁から離れる方向へ突出したフランジ頂部を有したベースと、前記ベースと個別に形成され、前記ベースを覆うフードと、前記ベースと個別に形成され、前記ベースの外壁側に配置されるバックフレームとを有し、前記バックフレームの一対の側部には、前記外壁から離れる方向に折り曲げられたガイドがそれぞれ形成され、前記ベースの前記フランジ頂部は、一対の前記バックフレームの前記ガイドの間に配置され、前記フードの内面は、前記ベースの前記フランジ頂部及び前記バックフレームの前記ガイドとが当接することで固定されているものであり、これにより所期の目的を達成するものである。
【発明の効果】
【０００８】
本発明によれば、外壁に設置される最上端が前記外壁から離れる方向へ突出したフランジ頂部を有したベースと、前記ベースと個別に形成され、前記ベースを覆うフードと前記ベースを囲むバックフレームとを有し、前記バックフレームの側部が前記外壁から離れる方向に折り曲げられたガイドが前記バックフレームの側部に形成されている、という構成にしたことにより、ガイドの側面に加わった衝撃力はベースの側面に接触して吸収されることとなるので、フードと組み合わせたベースを施工するときに落としたりしてもベースにフードを組み合わせることができる、という効果を得ることができる。
【図面の簡単な説明】
【０００９】
【図１】本発明の実施の形態１の屋外換気口の外壁に取り付けた状態を示す斜視図
【図２】同屋外換気口のベース等の分解斜視図
【図３】同屋外換気口のフード部を除いた状態の斜視図
【図４】同屋外換気口の分解斜視図
【図５】従来の屋外換気口の分解斜視図
【発明を実施するための形態】
【００１０】
本発明の請求項１記載の屋外換気口は、外壁に設置される最上端が前記外壁から離れる方向へ突出したフランジ頂部を有したベースと、前記ベースと個別に形成され、前記ベースを覆うフードと前記ベースを囲むバックフレームとを有し、前記バックフレームの側部が前記外壁から離れる方向に折り曲げられたガイドが前記バックフレームの側部に形成されている、という構成を有する。これにより、ガイドの側面に加わった衝撃力はベースの側面に接触して吸収されることとなるので、フードと組み合わせたベースを施工するときに落としたりしてもベースにフードを組み合わせることができるという効果を奏する。
【００１１】
また、フランジ頂部の側端部とバックフレームのガイドの上端部とを合わせている、という構成にしてもよい。これにより、フードの内面をベースのフランジ頂部に接触させフランジ頂部の側端部とバックフレームのガイドの上端部とを合わせているところを通過してフードの内面とガイドの外面とが組み合わさることとなるので、確実にベースにフードを組み合わせることができるという効果を奏する。
【００１２】
また、バックフレームのガイドの上方を、フランジ頂部の高さと同等以下に形成されている、という構成にしてもよい。これにより、フードの内面を確実にベースのフランジ頂部に接触させフランジ頂部の側端部とバックフレームのガイドの上端部とを合わせているところを通過してフードの内面とガイドの外面とが組み合わさることとなるので、より確実にベースにフードを組み合わせることができるという効果を奏する。
【００１３】
（実施の形態１）
図１は、屋外換気口１７が建物の外壁１に設置された状態を示している。
【００１４】
外壁１の内面１８側の空間である屋内１９には、屋内１９の部屋（図示せず）と外壁１の外面２０側の空間である屋外２１とを互いに繋ぐダクト２２が引き回されている。
【００１５】
図２および図４に示されるとおり、屋外換気口１７（図１参照）は、複数の構成要素が互いに結合されることにより構成される。
【００１６】
図３は、そのうちの一部であって、換気のための役割を果たす構成要素の集合体を示している。
【００１７】
図１〜図４に示すように、屋外換気口１７は、外壁１の外面２０に設置されるベース４と、ダクト２２の開口部２３に接続されるベントキャップ２４と、ダクト２２の内部に異物が侵入することを妨ぐルーバー２５とを有する。
【００１８】
そして、屋外換気口１７は、さらに、ベース４を覆うフード５と、フード５の内側に形成される空間である内部空間２６の下方にフード５の内部や正面や側面に付着した雨水等を外壁１から離れるように案内する下方に向かって正面側に傾斜させた形状の水切板２７を設ける。
【００１９】
そして、屋外換気口１７は、図１、２、４に示されるとおり、ベース４に水切板２７が取り付けた使用形態、および、ベース４から水切板２７が取り外した使用形態（図示せず）をユーザーが任意に選択することができる。
【００２０】
次にベース４等の構成について説明する。
【００２１】
図示された例によれば、ベース４の最上端が外壁１から離れる方向へ突出したフランジ頂部３および最下端が外壁１に向かって突出したフランジ底部２８が形成される。
【００２２】
そして、ベース４の屋内１９側には、ベース４の上および左右の３つの辺の外形に沿うような逆Ｕ字形状で、前記フランジ底部２８と同じ立上げ高さを有するバックフレーム６がベース４と接合する合わせ面となる側部７を形成するようベース４の側面１０側へ折り曲げる。
【００２３】
さらに、側部７はベース４の側面１０より外壁１から離れる方向に側面からの衝撃によるフード５の変形の防止やガイド８（後述参照）とフード５の内面１３（後述参照）との空気漏れを防ぐことができる長さである所定距離折り曲げられたガイド８が形成する。
【００２４】
そして、ベース４の屋内１９側には、バックフレーム６とダクト２２に挿入し固定するベントキャップ２４が複数のリベット２９や溶接等の手段でベース４に固定し、また、屋外２１側には、ルーバー２５が取付ねじ３０で着脱自在に設ける。
【００２５】
次に、フード５等の構成について説明する。
【００２６】
図示された例によれば、フード５は、ベース４との間に内部空間２６を形成するようにコの字形に折り曲げられたフランジ側部３１を形成し、フランジ側部３１のベース４側の最上部にベース４のフランジ頂部３に接合するようフード５の最上端に外壁１に向かって突出したフランジ頂部３２を有する整流板３３が、リベット３４や溶接等の手段でフード５の内面に固定する。
【００２７】
また、フランジ頂部３２には下方に向けてベース４のフランジ頂部３に形成される穴部３５（図では例として２個記載）に挿入されて係止するツメ３６（図では例として２個記載）を設ける。
【００２８】
また、フランジ側部３１のベース４側の下方には、フード５を固定する固定金具３７が溶接等の手段で固定して構成されており、外壁１への施工時には水切板２７に配された固定ねじ３８で、ベース４の取付部３９（図では例として２個記載）に共締め固定される。
【００２９】
次に、外壁１への屋外換気口１７の設置手順について説明する。
【００３０】
図示された例によれば、ベース４に固定されたベントキャップ２４が外壁１に配管されたダクト２２の開口部２３に挿入され、バックフレーム６とベース４のフランジ底部２８が外壁１の外面２０に突き当てられ、ベース４の背面と外壁１の外面２０との間、すなわち、バックフレーム６の周囲にコーキング材を充填するためのポケット４０が下方を除いた３辺に形成されるが、その両側のポケット４０はバックフレーム６の側部７を経てガイド８まで折り曲げにより一体で形成されるため、ベース４とバックフレーム６との間の接合面が露出しないので隙間なく構成される。
【００３１】
次に、タッピンネジ４１でベース４の四隅に設けたねじ穴４２を介してベース４を外壁１に固定後、ポケット４０にコーキング材が充填される。
【００３２】
次に、フード５の内面１３にベース４のフランジ頂部３が収まるように、フード５の内面１３をベース４の側端部１１からフランジ頂部３に接触させて挿入させ、フード５の集合体を構成するツメ３６をベース４の穴部３５に挿入し引っ掛けて係止させるように、フード５を下方向に外壁１側へ回動させて固定金具３７をベース４の取付部３９に接合させる。
【００３３】
次に、水切板２７に配された固定ねじ３８で、フード５の固定金具３７を介してベース４の取付部３９に共締め固定されて設置が完了する。
【００３４】
なお、各作業の順序は一例でありユーザーが任意に選択できる。
【００３５】
このような構成により、フード５のフランジ側部３１を介してガイド８の側面９に加わった衝撃力は、バックフレーム６の側部７両端の折り曲げと、側部７に接合するベース４とで２重に重なって構成されるので、側面からの耐衝撃力が強度を向上させ、ベース４の側面１０に接触して分散吸収されるため、フード５と組み合わせたベース４を施工するときに落としたりしてもベース４にフード５を組み合わせることができる。
【００３６】
また、上記構成により、屋外換気口１７の梱包輸送時に受ける側面からの衝撃においても同様の効果を有することとなる。
【００３７】
さらに、側部７近傍の強度が向上するので、側部７の近傍に配される場合にはベース４のねじ穴４２に通してベース４を固定するタッピンネジ４１がトルクの強い電動ドライバー等で締め付けられてもベース４の変形を低減させることができる。
【００３８】
さらに、下方を除いた３辺に形成されるその両端のポケット４０は、バックフレーム６で側部７を経てガイド８まで折り曲げにより一体で形成されるため、部品間の接合面が露出しないで隙間なく構成されるので、コーキング材充填時の作業バラツキによりコーキング材の充填不足が発生したとしてもベース４とバックフレーム６との間の接合面からの空気や湿気の漏れが低減できる。
【００３９】
また、コーキング材を充填しすぎたとしても、ベース４とバックフレーム６との間の接合面を通じてダクト２２側へのコーキング材の流出による不具合発生が防止できる。
【００４０】
さらに、従来のベースをベース４とバックフレーム６との２部品の構成としているので、必要に応じて、板厚や材質変更等による必要箇所のみの仕様変更でコスト変動を最小限に抑えて更なる強度向上策を講じやすく構成できる。
【００４１】
また、フランジ頂部３の側端部１１とバックフレーム６のガイド８の上端部１２とを合わせている。
【００４２】
このような構成により、フード５の内面１３をベース４のフランジ頂部３に接触させフランジ頂部３の側端部１１とバックフレーム６のガイド８の上端部１２とを合わせているところを、ガイド８がフード５のフランジ側部３１の外側に誤挿入することや引っ掛かり等が生じることなくスムーズに通過してフード５の内面１３とガイド８の外面１４とが組み合わさることとなり、確実にベース４にフード５を組み合わせることができる。
【００４３】
また、バックフレーム６のガイド８の上方１５を、フランジ頂部３の高さ１６と同等以下に形成されている。
【００４４】
このような構成により、バックフレーム６の上方１５が先にフード５の内面１３に接触することなく、フード５の内面１３を確実にベース４のフランジ頂部３に接触させフランジ頂部３の側端部１１とバックフレーム６のガイド８の上端部１２とを合わせているところをガイド８がフード５のフランジ側部３１の外側に誤挿入することや引っ掛かり等が生じることなくスムーズに通過してフード５の内面１３とガイド８の外面１４とが組み合わさることとなるので、より確実にベース４にフード５を組み合わせることができる。
【産業上の利用可能性】
【００４５】
本屋外換気口は、各種の建物の屋内を換気するために外壁に設置することができる。
【符号の説明】
【００４６】
１    外壁
２    最上端
３    フランジ頂部
４    ベース
５    フード
６    バックフレーム
７    側部
８    ガイド
９    側面
１０  側面
１１  側端部
１２  上端部
１３  内面
１４  外面
１５  上方
１６  高さ
１７  屋外換気口
１８  内面
１９  屋内
２０  外面
２１  屋外
２２  ダクト
２３  開口部
２４  ベントキャップ
２５  ルーバー
２６  内部空間
２７  水切板
２８  フランジ底部
２９  リベット
３０  取付ねじ
３１  フランジ側部
３２  フランジ頂部
３３  整流板
３４  リベット
３５  穴部
３６  ツメ
３７  固定金具
３８  固定ねじ
３９  取付部
４０  ポケット
４１  タッピンネジ
４２  ねじ穴
【図１】
0006500216.tif 000002
【図２】
0006500216.tif 000003
【図３】
0006500216.tif 000004
【図４】
0006500216.tif 000005
【図５】
0006500216.tif 000006